(57)【要約】【課題】ノート型パソコン等の電子機器を使用するときにタイピングなどの外力が作用しても動かないようにしっかりと固定することができ、机上で移動させたい場合は軽く移動させることのできる載置台を提供する。【解決手段】  電子機器（Ｐ）を載置するプレート（２）の底面（２ｂ）の四隅に滑り止めのストッパ（４）が設けられると共に、その背面側端縁（２ｃ）に沿って、前後方向に回転するローラ（５）又は滑動部材（１２）が設けられ、そのローラ（５）又は滑動部材（１２）の高さをストッパ（４）と等しいかそれより低く形成した。【選択図】図１
2007241626.tif 000002
【特許請求の範囲】
【請求項１】
机上面に置いて使用される電子機器を選択的に机上面に固定させ又は机上面上で移動させることができる載置台であって、
電子機器を載置するプレートの底面四隅に滑り止めのストッパが設けられると共に、その背面側端縁に沿って、前後方向に回転するローラ又は滑動部材が設けられ、前記ローラ又は滑動部材の高さが、ストッパと等しいかそれより低く形成されたことを特徴とする載置台。
【発明の詳細な説明】
【技術分野】
【０００１】
本発明は、机上面に置いて使用されるノート型パソコンその他の電子機器を、必要に応じて机上面で自由に移動させることができる載置台に関する。
【背景技術】
【０００２】
近年、ノート型パソコンの機能向上及び価格低下に伴い、その出荷台数の伸び率はデスクトップ型パソコンを大きく上回り、性能的にもデスクトップ型と遜色がないことから、社員の個人用端末としてデスクトップ型に替えて採用する企業が増えてきている。
【０００３】
ところで、ノート型は極めて小型であることから、書類や冊子、筆記用具などと共に机上に置いて使用される。
この場合に、椅子に座ったときに自分が作業しやすい机上の真正面のスペースは限られてしまうため、ノート型パソコンを使用するときはそのスペースに置いて作業を行い、ノート型パソコンを使用しないで他の作業を行なうときは例えば机上前方に移動させて、そのスペースを空けるようにしている。
【０００４】
しかし、ノート型パソコンの底面には、タイピング中にずれないようにシリコンゴムなどからなる滑り止めが設けられているので、机上面で押しても簡単に移動させることはできない。また、左右両側に手を添えて軽く持ち上げた状態でずらすことも可能であるが、移動させるのに両手を使わなければならない。また、軽量とは言っても３ｋｇ程度はあり、しかも、最近のノート型パソコンは極めて薄くできているので、持ち上げにくいという問題があった。
【０００５】
このため、ノート型パソコンを載せたまま移動させることのできる載置台が提案されている。
これは、プレートの四隅に前後方向に転がるローラを設けたものであり、ノート型パソコンを載せたまま載置台を移動させることにより、簡単に机上で前後方向に移動できるようになっている。
しかしながら、この載置台は四隅がローラで支持されているので移動しやすい反面、ノート型パソコンを載せてそのキーボードをタイピングするだけで動いてしまうおそれがある。
【特許文献１】特開２００４−３５５３５５号公報
【０００６】
さらに簡便に移動させる手段として、ノート型パソコンの底面四隅に設けられた滑り止めのうち、背面側の滑り止めの位置にボールベアリングを設けて、手前側を持ち上げた状態で移動できるようにしたものも提案されているが、ボールベアリングは机上面と点接触するため机上面に傷がつきやすいだけでなく、ファンクションキーなどの奥のキーを強くタイピングしたときに、背面側を支持するボールベアリング側にのみ荷重がかかって手前側の滑り止めが浮き加減となるため、その摩擦力が低下して、やはり動いてしまうおそれがある。
【特許文献２】登録実用新案第３０７１６７０号公報
【発明の開示】
【発明が解決しようとする課題】
【０００７】
そこで本発明は、ノート型パソコン等の電子機器を使用するときはタイピングなどの外力が作用しても動かないようにしっかりと固定することができ、机上で移動させたい場合は軽く移動させることのできる載置台を提供することを技術的課題としている。
【課題を解決するための手段】
【０００８】
この課題を解決するために、本発明は、机上面に置いて使用される電子機器を選択的に机上面に固定させ又は机上面上で移動させることができる載置台であって、電子機器を載置するプレートの底面四隅に滑り止めのストッパが設けられると共に、その背面側端縁に沿って、前後方向に回転するローラ又は滑動部材が設けられ、前記ローラ又は滑動部材の高さが、ストッパと等しいかそれより低く形成されたことを特徴としている。
【発明の効果】
【０００９】
本発明に係る載置台によれば、ノート型パソコン等の電子機器を載置するプレートの底面四隅に滑り止めのストッパが設けられており、プレート底面の背面側端縁に沿って設けられたローラ又は滑動部材の高さは、ストッパと等しいかそれより低く形成されている。
したがって、載置台を机上面に置いたときには、必ず四隅のストッパが机上面に接地されてプレートが安定的に支持されるので、ストッパの摩擦力により載置台は机上面に確実に固定され、キーボードを強くタイピングしてもローラや滑動部材にのみ荷重がかかることがないので、載置台が移動することがない。
そして、電子機器を移動させるときは、プレートの手前側を持ち上げると、プレートはその背面側端縁に沿って設けられたローラ又は滑動部材を支点として傾き、四隅に配されたストッパは机上面から浮くので、その摩擦力の影響を全く受けることなく、自由に電子機器を載置台ごと移動させることとができる。
【発明を実施するための最良の形態】
【００１０】
本例では、ノート型パソコン等の電子機器を使用するときに、タイピングなどの外力が作用しても動かないように机上にしっかりと固定することができ、机上で移動させたい場合は軽く移動させることができるようにするという目的を達成するために、電子機器を載置するプレートの底面四隅に滑り止めのストッパを設けらると共に、その背面側端縁に沿って、前後方向に回転するローラ又は滑動部材を設け、前記ローラ又は滑動部材の高さをストッパと等しいかそれより低く形成した。
【００１１】
図１は本発明に係る載置台の一例を示す斜視図、図２はその使用状態を示す側面図、図３は他の実施形態を示す斜視図、図４はその側面図である。
【実施例１】
【００１２】
図１及び図２に示す載置台１は、机上面Ｄに置いて使用されるノート型パソコンなどの卓上電子機器Ｐを選択的に机上面Ｄに固定させ又は机上面Ｄ上で移動させるものである。
電子機器Ｐを載置するプレート２はアルミ板材などで形成され、その上面２ａがフラットに形成されると共に、前端部が板金加工されて取手３が形成されている。
【００１３】
また、底面２ｂには、その四隅にシリコン硬質ゴムのような摩擦係数の高い材料で形成された滑り止めのストッパ４が設けられている。
そして、プレート２の背面側端縁２ｃに沿って、前後方向に回転するローラ５が設けられており、その高さが、ストッパ４と等しいかそれより低く形成されている。
本例では、図２（ａ）に示すように、ローラ５の高さがストッパ４より低く形成されて、載置台１を机上面Ｄに置いたときに、机上面Ｄとローラ５との間に０.５〜１.０ｍｍ程度の隙間Ｇが形成されるように形成されているが、もちろんローラ５の高さをストッパ４と等しくし、載置台１を机上面Ｄに置いたときに、ストッパ４とローラ５がすべて同時に接地されるように形成しても良い。
すなわち、ローラ５は、載置台１を机上面Ｄに置いた状態でストッパ４が浮かず、ローラ５を支点として載置台１の前端側を持ち上げたときにプレート２の背面側端縁２ｃが机上面Ｄに接触することなく全てのストッパ４を浮かすことのできる高さであれば良い。
【００１４】
以上が本発明の一構成例であって、次にその作用について説明する。
机の正面に座った状態で、その正面に位置する机上面Ｄの作業スペースに載置台１を置き、これにノート型パソコンなどの電子機器Ｐを載せて、図２（ａ）に示すように、ディスプレイ６を開いてキーボードなどの操作を行う。
【００１５】
このとき、電子機器Ｐはその底面に滑り止め７が取り付けられているので、載置台１のプレート上面２ａで滑ることはない。
また、机上面Ｄに置かれた載置台１は、プレート底面２ｂの四隅に設けられたストッパ４が接地して全体を安定支持しているので、ローラ５がストッパ４と共に接地していても、載置台１は机上面Ｄに確りと固定されることとなり、キーボードを強くタイピングするなどして電子機器Ｐの任意の位置に外力が作用しても、載置台１は机上面Ｄ上で位置ずれすることがない。
【００１６】
次いで、電子機器Ｐの使用が終了し、机上面Ｄ上で載置台１を滑らせて作業スペースから移動させる場合は、例えばプレート２の前端部２形成された取手３に手をかけて前端側を持ち上げると、図２（ｂ）に示すように、載置台１はプレート２の背面側端縁２ｃに沿って設けられたローラ５を支点として傾き、四隅に配されたストッパ４は机上面Ｄから離れるので、その摩擦力の影響を全く受けることなく、電子機器Ｐを載置台１ごと机上面Ｄ上で自由に移動させることとができる。
【実施例２】
【００１７】
図３及び図４は他の実施形態を示す。なお、図１及び図２と共通する部分は同一符号を付して詳細説明を省略する。
図３に示す載置台１１は、プレート２の背面側端縁２ｃに沿って、テフロン（登録商標）のような摩擦係数の低いフッ素樹脂製の滑動部材１２が設けられており、その高さが、ストッパ４と等しいかそれより低く形成されている。
本例では、図４（ａ）に示すように、滑動部材１２の高さがストッパ４と等しく形成されて、載置台１１を机上面Ｄに置いたときに、ストッパ４と滑動部材１２がすべて同時に接地されるように形成されているが、例えば机上面Ｄと滑動部材１２との間に０.５〜１.０ｍｍ程度の隙間Ｇが形成されるように形成しても良い。
すなわち、滑動部材１２は、載置台１１を机上面Ｄに置いた状態でストッパ４が浮かず、滑動部材１２を支点として載置台１１の前端側を持ち上げたときにプレート２の背面側端縁２ｃが机上面Ｄに接触することなく全てのストッパ４を浮かすことのできる高さであれば良い。
【００１８】
そして、机の正面に座った状態で、その正面に位置する机上面Ｄの作業スペースに載置台１を置き、これにノート型パソコンなどの電子機器Ｐを載せて、図４（ａ）に示すように、ディスプレイ６を開いてキーボードなどの操作を行う。
このとき、電子機器Ｐはその底面に滑り止め７が取り付けられているので、載置台１のプレート上面２ａで滑ることはない。
また、机上面Ｄに置かれた載置台１１は、プレート底面２ｂの四隅に設けられたストッパ４が接地して全体を安定支持しているので、滑動部材１２がストッパ４と共に接地していても、載置台１１は机上面Ｄに確りと固定されることとなり、キーボードを強くタイピングするなどして電子機器Ｐの任意の位置に外力が作用しても、載置台１１は机上面Ｄ上で位置ずれすることがない。
【００１９】
次いで、電子機器Ｐの使用が終了し、机上面Ｄ上で載置台１を滑らせて作業スペースから移動させる場合は、例えばプレート２の前端部に形成された取手３に手をかけて前端側を持ち上げると、図４（ｂ）に示すように、載置台１１はプレート２の背面側端縁２ｃに沿って設けられたローラ５を支点として傾き、四隅に配されたストッパ４は机上面Ｄから離れるので、その摩擦力の影響を全く受けることなく、電子機器Ｐを載置台１１ごと机上面Ｄ上で自由に移動させることとができる。
【産業上の利用可能性】
【００２０】
以上述べたように、本発明は、机上面に置いて使用されるノート型パソコンその他の電子機器を、必要に応じて机上面で自由に移動させることができる載置台の用途に適用し得る。
【図面の簡単な説明】
【００２１】
【図１】本発明に係る載置台の一例を示す斜視図。
【図２】その使用状態を示す側面図。
【図３】他の実施形態を示す斜視図。
【図４】その使用状態を示す側面図。
【符号の説明】
【００２２】
１  １１  載置台
Ｄ        机上面
Ｐ        電子機器
２        プレート
３        取手
４        ストッパ
５        ローラ
６        ディスプレイ
７        滑り止め
１２      滑動部材
【図１】
2007241626.tif 000003
【図２】
2007241626.tif 000004
【図３】
2007241626.tif 000005
【図４】
2007241626.tif 000006